【手続補正書】
【提出日】平成19年11月1日(2007.11.1)
【手続補正１】
【補正対象書類名】明細書
【補正対象項目名】０００３
【補正方法】変更
【補正の内容】
【０００３】
図１４は、従来の健康管理支援システムにおける情報の流れを示す図である。このような従来の健康管理支援システムにおいては、図１４に示すように、一の被検者が送信する生体情報のみに基づき、この情報をわかりやすく加工したり解説の付記などがなされた付加価値情報を、当の被検者本人、その保護者や雇用主等の被検者と直接的利害を共有する契約者へ提供している（たとえば、特許文献１参照）。すなわち、従来の健康管理支援システムにおいては、個人の生体情報において異常が発見されると、即座に本人やその他の契約者へ異常を通知することに主眼が置かれており、被検者の現在の健康状態を的確に通知することが重視されている。
【手続補正２】
【補正対象書類名】明細書
【補正対象項目名】００２１
【補正方法】変更
【補正の内容】
【００２１】
（実施の形態１）
図１は、この実施形態の生体情報活用システムの概略構成を示すブロック図である。
【手続補正３】
【補正対象書類名】明細書
【補正対象項目名】００２３
【補正方法】変更
【補正の内容】
【００２３】
図２は、前記生体情報計測部１０１をさらに詳細に示すブロック図である。この生体情報計測部１０１は、体温計、尿分析計、血圧計などの生体情報を定量的に計測しその計測値を得るための計測部１０７と、この計測部１０７から得られる計測値の種類を判別して計測値に識別コードを付与する生体情報識別コード付与部１０８と、被検者属性情報取得手段である被検者属性情報取得部１１７とを備えている。
【手続補正４】
【補正対象書類名】明細書
【補正対象項目名】００３５
【補正方法】変更
【補正の内容】
【００３５】
図３は、前記各種コードなどが付与された生体情報や計測日時の情報が各蓄積部１０３、１０４に蓄積されるまでの流れを示すフローチャートである。
【手続補正５】
【補正対象書類名】明細書
【補正対象項目名】００３８
【補正方法】変更
【補正の内容】
【００３８】
図４は、被検者情報蓄積部１０３と参照情報蓄積部１０４とから予測変化パターンを作成する処理動作を示すフローチャートである。
【手続補正６】
【補正対象書類名】明細書
【補正対象項目名】００４８
【補正方法】変更
【補正の内容】
【００４８】
図５は、前記予測変化パターンの出力例を示している。このグラフに破線で示されている部分は現在までに実測された生体情報であり、実線で示されているのが前記作成された予測変化パターンである。
【手続補正７】
【補正対象書類名】明細書
【補正対象項目名】００５０
【補正方法】変更
【補正の内容】
【００５０】
なお、図５では、予想変化パターンが一つの例を示したが、複数の予測変化パターンを出力しても良い。また、複数の予測変化パターンを統計的に処理し、一つの予測変化パターンとして表示してもかまわない。
【手続補正８】
【補正対象書類名】明細書
【補正対象項目名】００５４
【補正方法】変更
【補正の内容】
【００５４】
図６は、この実施形態にかかる生体情報活用システム１００の構成を示すブロック図である。
【手続補正９】
【補正対象書類名】明細書
【補正対象項目名】００５９
【補正方法】変更
【補正の内容】
【００５９】
サーバ１２０は、各計測システム１１０から送信される生体情報等を一括して受信し蓄積し、蓄積された情報に基づき付加価値情報を作成するものであり、コンピュータシステムなどによって実現され、サーバ側通信手段である通信部１２１、データ追記部１１４、提供情報作成部１２３、課金手段である課金部１２４、報奨計算手段であるインセンティブ計算部１２５、被検者情報蓄積部１０３、参照情報蓄積部１０４およびバス１２８を備える。なお、図６には主要な構成のみ記載している。
【手続補正１０】
【補正対象書類名】明細書
【補正対象項目名】００６５
【補正方法】変更
【補正の内容】
【００６５】
参照情報蓄積部１０４は、ハードディスクなどの大容量記憶装置によって実現され、データ追記部１１４によって被検者情報蓄積部１０３に蓄積される生体情報をリアルタイムで格納されるものである。この参照情報蓄積部１０４は、被検者識別コードに対応した被検者ごとの個人情報の他、契約者先との契約内容および課金情報の計算などに用いられる種々の情報等をも格納することができるものである。これらの情報は、サーバ１２０内の図示しない入力操作部、課金部１２４およびインセンティブ計算部１２５などにより、逐次、更新されるものとなされている。なお、図６では被検者情報蓄積部１０３と参照情報蓄積部１０４とは、別の記憶装置として示されているが、実際には、別の記憶装置である必要はなく、それぞれの蓄積部が別の記憶領域に格納されればよい。
【手続補正１１】
【補正対象書類名】明細書
【補正対象項目名】００６７
【補正方法】変更
【補正の内容】
【００６７】
次に、計測システム１１０およびサーバ１２０の各処理動作について以下に説明する。
図７は、計測システム１１０における処理動作を示すフローチャートである。なお、図３に示すステップと同じ動作のステップについては同じ番号を付している。
【手続補正１２】
【補正対象書類名】明細書
【補正対象項目名】００６８
【補正方法】変更
【補正の内容】
【００６８】
まず、計測システム１１０を用いて生体情報を計測する（Ｓ４０１〜Ｓ４０５）。この計測動作は、図３に示す被検者識別コードの入力（Ｓ４０１）から位置情報を付与（Ｓ４０５）までと同様である。
【手続補正１３】
【補正対象書類名】明細書
【補正対象項目名】００７０
【補正方法】変更
【補正の内容】
【００７０】
図８は、サーバ１２０の処理動作を示すフローチャートである。
計測システム１１０から送信された情報を通信部で受信する（Ｓ８０１）。受信した情報は、被検者情報蓄積部１０３に蓄積される（Ｓ４０６）。また、データ追記部１１４により参照情報蓄積部１０４にも蓄積される（Ｓ４０７）。
【手続補正１４】
【補正対象書類名】明細書
【補正対象項目名】００８５
【補正方法】変更
【補正の内容】
【００８５】
図９は、生体情報活用システムが設けられたトイレ装置２００示す外観図である。
このトイレ装置２００は、計測装置本体部２０１と便器２０２とから構成されており、生体情報活用システムをスタンドアローンで実現するものである。
【手続補正１５】
【補正対象書類名】明細書
【補正対象項目名】００９５
【補正方法】変更
【補正の内容】
【００９５】
図１０は、被検者情報蓄積部１０３に蓄積されている被検者の体温の計測日時に基づく推移を示したグラフである。図１０においてＳ（ｔ）とは日時ｔに計測された生体情報、即ち体温を示し、Ｔ0は最新計測日時を示し、Ｔ-1はＴ0より古い計測日時を示す。例えば、図１０のグラフからＳ（Ｔ-1）＝３５．５℃、Ｓ（Ｔ0）＝３７．０℃である。
【手続補正１６】
【補正対象書類名】明細書
【補正対象項目名】００９６
【補正方法】変更
【補正の内容】
【００９６】
被検者情報蓄積部１０３から最新の体温Ｓ（Ｔ0）が３６．６℃以上（第１所定条件）
であるかを判断する。最新の体温が前記第１所定条件を満たしている場合、被検者情報蓄積部１０３から特定期間（Ｔ-1〜Ｔ0）内に対応する生体情報を抽出し、被検者変化パタ
ーンＳ（Ｔ-1、Ｔ0）を作成する。図１０に示すグラフでは、例えばＴ0は本日（０日）の０時を、Ｔ-1は昨日（−１日）の１８時を示す。
【手続補正１７】
【補正対象書類名】明細書
【補正対象項目名】００９８
【補正方法】変更
【補正の内容】
【００９８】
図１１は、参照情報蓄積部１０４に蓄積されている過去の計測日時に基づく被検者の体温の推移を示したグラフである。図１１においてＲ（ｔ）とは過去の日時ｔに計測された体温を示している。そして前記条件を満たすＲ（ｔ）はＲ（Ｔ-m）、Ｒ（Ｔ-(m-1)）及びＲ（Ｔ-(l-1)）である。これに基づき、被検者変化パターンＳ（Ｔ-1、Ｔ0）と同じ期間である特定期間内に対応する生体情報を抽出しすることにより作成された参照変化パターンは、Ｒ（Ｔ-(m+1)、Ｔ-m）、Ｒ（Ｔ-m、Ｔ-(m-1)）及びＲ（Ｔ-1、Ｔ-(l-1)）である。
【手続補正１８】
【補正対象書類名】明細書
【補正対象項目名】０１０３
【補正方法】変更
【補正の内容】
【０１０３】
そして、Ｔ-mから始まるそれ以降の対応する生体情報を参照情報蓄積部１０４から抽出して予測変化パターンを作成する。例えば、図１１の２日の６時以降から現在に至るＲ（ｔ）の推移を予測変化パターンとして作成する。この予測変化パターンでは、６時間後には体温がピークを示すが、１２時間後、１８時間後と体温は下がり続け、２４時間後には、３５．７℃まで下がりほぼ平熱になることが予測できる。
【手続補正１９】
【補正対象書類名】明細書
【補正対象項目名】０１０５
【補正方法】変更
【補正の内容】
【０１０５】
後はこの予測変化パターンを図１０に示すグラフに合成し、トイレ装置２００のコントローラ２０７に示せばよい。
【手続補正２０】
【補正対象書類名】明細書
【補正対象項目名】０１０６
【補正方法】変更
【補正の内容】
【０１０６】
なお、第２所定条件としては次のような条件とすることもできる。すなわち、第１所定条件を満たす体温が計測された時刻Ｔ0（日付は考慮しない）と同じ時刻に計測された体
温に基づいて作成された参照変化パターンを予測変化パターン作成の基準である参照変化パターンとするという条件である。図１１のグラフではＲ（Ｔ-l、Ｔ-(l+1)）が該当することとなる。この場合、図１１のグラフで示す６日の０時以降からの推移が予測変化パターンとされる。つまり、現在が体温のピークで、６時間後には体温は下がり、１２時間後には、３５．５℃まで下がりほぼ平熱になると予測できる。
【手続補正２１】
【補正対象書類名】明細書
【補正対象項目名】０１１０
【補正方法】変更
【補正の内容】
【０１１０】
図１２は、生体情報活用システムの構成要素である複数ある計測システム１１０の一つであって、ベッドの横に設置された状態を示す外観図である。
【手続補正２２】
【補正対象書類名】明細書
【補正対象項目名】０１１３
【補正方法】変更
【補正の内容】
【０１１３】
図１３は、参照情報蓄積部１０４に記録された生体情報である体温をグラフとして示した例であり、通信網１１９を介して収集された複数の被検者の生体情報の時間的推移を示している。このグラフ中でＲｙ（ｔ）の添え字であるｙは自然数変数であって特定個人を示すものである。ここでは例えば、Ｒ1（ｔ）は被検者本人の過去の体温の推移で、Ｒ2（ｔ）、Ｒ3（ｔ）・・Ｒｎ（ｔ）は他人の過去の体温の推移を示す参照信号としている。
【手続補正２３】
【補正対象書類名】明細書
【補正対象項目名】０１２１
【補正方法】変更
【補正の内容】
【０１２１】
後はこの予測変化パターンを図１０に示すグラフに合成し、コントローラ２０７などに示せばよい。